(57)【要約】【課題】収容されるシート状薬がばらばらにならない薬入れ、およびそのような薬入れを製造するための型紙を提供する。【解決手段】シート状薬のための薬入れであって、シート状薬の一部を収容する収容ポケットと、収容ポケットに収容された側とは反対側のシート状薬の角部もしくは辺の少なくとも一部が挿入され、シート状薬の収容ポケットからの脱落を防止する脱落防止スリットとを有する第１のシート状部材と、第１のシート状部材に収容されたシート状薬を覆う薬入れが閉じられた位置、または第１のシート状部材に収容されたシート状薬を取り出すことができる薬入れが開かれた位置をとることができるように、旋回可能に第１のシート状部材に結合される第２のシート状部材とを具備することを特徴とする。また、このような薬入れを製造するための型紙を提供する。【選択図】図１
0003132357.tif 000002
【実用新案登録請求の範囲】
【請求項１】
シート状薬のための薬入れであって、
シート状薬の一部を収容する収容ポケットと、収容ポケットに収容された側とは反対側のシート状薬の角部もしくは辺の少なくとも一部が挿入され、シート状薬の収容ポケットからの脱落を防止する脱落防止スリットとを有する第１のシート状部材と、
第１のシート状部材に収容されたシート状薬を覆う薬入れが閉じられた位置、または第１のシート状部材に収容されたシート状薬を取り出すことができる薬入れが開かれた位置をとることができるように、旋回可能に第１のシート状部材に結合される第２のシート状部材とを具備することを特徴とする、シート状薬のための薬入れ。
【請求項２】
第１のシート状部材が、複数の脱落防止スリットを有し、該複数の脱落防止スリットそれぞれが、前記収容ポケットに対して異なる高さ位置にあることを特徴とする、請求項１に記載の薬入れ。
【請求項３】
第１のシート状部材が、薬入れの閉じられた状態を保持するための閉鎖スリットをさらに有し、
第２のシート状部材が、閉鎖スリットに挿入される挿入部をさらに有することを特徴とする、請求項１または２に記載の薬入れ。
【請求項４】
第１のシート状部材および第２のシート状部材の少なくとも一方が、薬入れに収容されるシート状薬に関する指導箋を含む表示部またはシート状薬の使用状態を記録するための記録部のいずれか一方、あるいは表示部と記録部の両方を有することを特徴とする、請求項１から３のいずれか一項に記載の薬入れ。
【請求項５】
請求項１に記載の薬入れを製造するための型紙であって、
シート状薬を収容するための第１のシート状部材の外側部分を形成する第１の部分と、
第２のシート状部材を形成する、第１の部分の一辺に接続される第２の部分と、
第１のシート状部材の内側部分を形成し、収容ポケットの入口となる開口と、脱落防止スリットとなる開口とを有し、第１の部分の他辺に接続される第３の部分とを具備することを特徴とする、薬入れを製造するための型紙。
【請求項６】
第３の部分が、脱落防止スリットとなる複数の開口を有し、該複数の開口それぞれが、前記収容ポケットの入口となる開口に対して異なる距離にあることを特徴とする、請求項５に記載の型紙。
【請求項７】
第３の部分が、薬入れの閉じられた状態を保持するための閉鎖スリットとなる開口をさらに有し、
第２の部分が、閉鎖スリットに挿入される挿入部となる部分をさらに有することを特徴とする、請求項５または６に記載の型紙。
【請求項８】
第１の部分、第２の部分、および第３の部分の少なくとも１つが、薬入れに収容されるシート状薬に関する指導箋を含む表示部またはシート状薬の使用状態を記録するための記録部のいずれか一方、あるいは表示部と記録部の両方を有することを特徴とする、請求項５から７のいずれか一項に記載の型紙。
【考案の詳細な説明】
【技術分野】
【０００１】
本考案は、シート状薬、例えば患者の適切な場所の皮膚に直接貼り付けられる経皮吸収型のシート状薬などを収容するための薬入れ、およびそのような薬入れを製造するための型紙に関する。
【背景技術】
【０００２】
従来、経皮吸収型のシート状薬などのシート形状の薬は、薄いシート状のパッケージに包装されていた。シート状薬が処方されると、処方された枚数のシート状薬が、ばらばらにならないように輪ゴムなどを用いてまとめられた状態で、薬袋に入れられて患者に渡されていた。その際、そのシート状薬に関する使用方法（例えば、貼る場所、貼り替える時期、正しい貼り方など）および使用における注意事項などが書かれた指導箋も、同じ薬袋に入れられていた。
【０００３】
患者自身または患者にシート状薬を貼り付ける家族などの人は、以下のような手順で、薬袋に入れられたシート状薬を使用していた。
【０００４】
まず、薬袋からシート状薬および指導箋を取り出す。指導箋に書かれた使用方法および注意事項を読んで、必要なシート状薬をまとめられた状態のシート状薬から取り分ける。包装パッケージからシート状薬を出して、患者の適切な場所の皮膚に貼り付ける。貼り付けた日時を記憶して、薬袋内に、残りのシート状薬の包装パッケージを輪ゴムなどで再びまとめて、指導箋とともに戻す。その後、次の貼り替え時期まで、その薬袋を保管する。
【考案の開示】
【考案が解決しようとする課題】
【０００５】
従来、シート状薬の包装パッケージは輪ゴムなどを用いてまとめられていたが、シート状薬が、ばらばらになるまたは紛失される問題があった。さらに、輪ゴムなどでまとめる作業は、手間のかかるものであった。また、シート状薬と指導箋が入れられた薬袋は、嵩張って持ち帰り難く、薬袋内で輪ゴムなどでまとめられているシート状薬の包装パッケージの枚数を確認するのは面倒であった。
【０００６】
また指導箋は、シート状薬を使用する毎に薬袋から取り出され、使用後に再び薬袋に入れて保管されることが必要であった。そのため、指導箋が、薬袋への出し入れの間に紛失される問題があった。
【０００７】
さらに、シート状薬は、一定の時期に貼り替える必要があり、患者自身または患者にシート状薬を貼り付ける家族などの人が、シート状薬を貼り付けた日時を毎回記憶しておかなければならない問題もあった。これは面倒であり、貼り替え時期を忘れることがしばしば生じていた。
【０００８】
本考案は、これらの問題を解消できるシート状薬のための薬入れ、およびそのような薬入れを製造するため型紙を提供することを目的とする。
【課題を解決するための手段】
【０００９】
請求項１に係る考案によれば、シート状薬のための薬入れであって、
シート状薬の一部を収容する収容ポケットと、収容ポケットに収容された側とは反対側のシート状薬の角部もしくは辺の少なくとも一部が挿入され、シート状薬の収容ポケットからの脱落を防止する脱落防止スリットとを有する第１のシート状部材と、
第１のシート状部材に収容されたシート状薬を覆う薬入れが閉じられた位置、または第１のシート状部材に収容されたシート状薬を取り出すことができる薬入れが開かれた位置をとることができるように、旋回可能に第１のシート状部材に結合される第２のシート状部材とを具備することを特徴とする。
【００１０】
請求項２に係る考案によれば、第１のシート状部材が、該複数の複数の脱落防止スリットを有し、脱落防止スリットそれぞれが、前記収容ポケットに対して異なる高さ位置にあることを特徴とする。
【００１１】
請求項３に係る考案によれば、第１のシート状部材が、薬入れの閉じられた状態を保持するための閉鎖スリットをさらに有し、第２のシート状部材が、閉鎖スリットに挿入される挿入部をさらに有することを特徴とする。
【００１２】
請求項４に係る考案によれば、第１のシート状部材および第２のシート状部材の少なくとも一方が、薬入れに収容されるシート状薬に関する指導箋を含む表示部またはシート状薬の使用状態を記録するための記録部のいずれか一方、あるいは表示部と記録部の両方を有することを特徴とする。
【００１３】
請求項５に係る考案によれば、請求項１に記載の薬入れを製造するための型紙であって、
シート状薬を収容するための第１のシート状部材の外側部分を形成する第１の部分と、
第２のシート状部材を形成する、第１の部分の一辺に接続される第２の部分と、
第１のシート状部材の内側部分を形成し、収容ポケットの入口となる開口と、脱落防止スリットとなる開口とを有し、第１の部分の他辺に接続される第３の部分とを具備することを特徴とする。
【００１４】
請求項６に係る考案によれば、第３の部分が、脱落防止スリットとなる複数の開口を有し、該複数の開口それぞれが、前記収容ポケットの入口となる開口に対して異なる距離にあることを特徴とする。
【００１５】
請求項７に係る考案によれば、第３の部分が、薬入れの閉じられた状態を保持するための閉鎖スリットとなる開口をさらに有し、第２の部分が、閉鎖スリットに挿入される挿入部となる部分をさらに有することを特徴とする。
【００１６】
請求項８に係る考案によれば、第１の部分、第２の部分、および第３の部分の少なくとも１つが、薬入れに収容されるシート状薬に関する指導箋を含む表示部またはシート状薬の使用状態を記録するための記録部のいずれか一方、あるいは表示部と記録部の両方を有することを特徴とする。
【考案の効果】
【００１７】
本考案に係る薬入れは、第１のシート状部材の収容ポケットおよび脱落防止スリットを用いてシート状薬を収容することで、薬入れを使用している間に、収容されているシート状薬が、ばらばらになることまたは紛失されることを防止することができる。さらに、本考案の薬入れにシート状薬を収容する作業は、簡単で手間のかからない作業である。さらに、収容されているシート状薬の枚数の確認が容易であり、また、従来の薬袋より嵩張らずに持ち帰り易いものである。第１のシート状部材の閉鎖スリットに第２のシート状部材の挿入部を挿入して、薬入れの閉じられた状態を保持することで、収容されたシート状薬を外部から保護し、薬入れから飛び出るまたは脱落する危険性がさらに低減される。
【００１８】
本考案に係る薬入れは、収容されるシート状薬に関する指導箋を含む表示部を有するため、指導箋を紛失することが防止される。さらに、シート状薬の貼り方を理解し易く、使用方法を間違え難く、使用の際の注意事項を理解し易く、忘れ難い。加えて、シート状薬の使用状態を記録するための記録部を有するため、シート状薬を貼り付けた日時を記憶する必要は無く、使用状態を確認でき、適切な時期にシート状薬の貼り替えを確実に行うことができる。
【００１９】
一方、シート状薬を処方する医師または薬剤師は、本考案の薬入れを使用することによって、指導箋を配布する必要が無く、輪ゴムなどでとめる必要なくシート状薬を処方でき、また患者のシート状薬の使用状態を記録部で確認することができる。
【００２０】
本考案の薬入れを製造するための型紙により、このような薬入れを容易に製造することができる。
【考案を実施するための最良の形態】
【００２１】
図１に、本考案の薬入れ１の斜視図を示す。
【００２２】
本考案の薬入れ１は、第１のシート状部材５および第２のシート状部材６からなる。第１のシート状部材５は、収容ポケット７と、脱落防止スリット４２、４３と、閉鎖スリット４４とを有する。第２のシート状部材６は、第１のシート状部材５に旋回可能に結合され、挿入部２３を有する。図１に示される第２のシート状部材６は、薬入れ１が開かれた位置にあり、第１のシート状部材５に収容されたシート状薬３、４を取り出すことができる。一方、図５に斜視図で示される本考案の薬入れ１では、第２のシート状部材６は、薬入れ１を閉じる位置にあり、第１のシート状部材５に収容されたシート状薬３、４は覆われている。収容ポケット７は、シート状薬３、４を導入するための入口スリット４１を有する。
【００２３】
シート状薬３、４は、例えば患者の適切な場所の皮膚に直接貼り付けられる経皮吸収型などのシート状薬であり、その一例は、気管支拡張剤である。シート状薬３、４は、一辺が５ｃｍ程度の四角形で厚みの薄い（例えば０．１ｍｍ程度）プラスチック製のパッケージに入れられる。シート状薬は、薬成分の含有量に応じて異なるサイズを有し、薬成分の含有量に対応して異なるサイズのパッケージに入れられる。そのため、異なるサイズのシート状薬３、４が、患者に渡されることがある。本考案の薬入れ１は、異なるサイズのシート状薬３、４に対応して、収容ポケット７に対して異なる高さ位置の複数の脱落防止スリット４２、４３を有することができる。
【００２４】
本考案の薬入れ１は、収容すべきシート状薬３、４の大きさに応じて寸法が決められるが、例えば、一辺が５ｃｍ程度の四角形のシート状薬３、４用には、閉じられた状態で一辺が１０ｃｍ程度の四角形の形状である。本考案の薬入れ１は、紙またはプラスチック材料などの適切な強度および価格を有する材料からなり、例えば、１ｍｍ程度の厚みを有する紙から作られる。
【００２５】
図２に、薬入れ１の展開図を示す。これは、本考案の薬入れ１を製造するための型紙２に対応する。
【００２６】
型紙２は、第１のシート状部材５を形成するための第１の部分１０および第３の部分３０と、第２のシート状部材６を形成するための第２の部分２０とを含む。第３の部分３０は、第１の部分１０の一辺１１で第１の部分１０に結合され、第２の部分２０は、他辺１２で第１の部分１０に結合される。なお、図２に示される破線は、型紙２の折り曲げ線を表す。
【００２７】
第３の部分３０は、折り曲げられて収容ポケット７を形成する収容ポケット形成部分３６、３７、３８、および３９と、収容ポケット７の入口スリット４１となる開口と、シート状薬３、４の脱落を防止するための脱落防止スリット４２、４３となる開口と、薬入れ１の閉じられた状態を保持するための閉鎖スリット４４となる開口とを有する。第２の部分２０は、閉鎖スリット４４に挿入される挿入部２３となる部分を有する。
【００２８】
第３の部分３０を折り曲げ線３１、３２、３３、および３４で折り曲げて収容ポケット７を形成し、第１の部分１０の適切な箇所に接着すると、開かれた位置にある本考案の薬入れ１ができる。具体的には、第３の部分３０を、折り曲げ線３４、３３、および３２でほぼ９０度の角度で谷折りし、折り曲げ線３１でほぼ９０度の角度で山折りし、一辺１１でほぼ１８０度の角度で谷折りすると、入口スリット４１を有する収容ポケット７が形成される。
【００２９】
図３に、開かれた位置にある本考案の薬入れ１の正面図を示し、図４に、その背面図を示す。図３の正面図には、収容ポケット７の前面を構成する収容ポケット形成部分３７と、入口スリット４１の一部と、入口スリット４１を通して見られることができる収容ポケット７の背面を構成する収容ポケット形成部分３９の一部と、脱落防止スリット４２、４３と、閉鎖スリット４４と、さらに第２のシート状部材６の挿入部２３とが示されている。
【００３０】
図５に示されるように、薬入れ１を閉じるには、折り曲げ線１２、２１でほぼ９０度の角度で、第２の部材２０を谷折りで折り曲げる。さらに、第２のシート状部材６の挿入部２３を、第１のシート状部材５の閉鎖スリット４４に挿入することによって、薬入れ１は閉じられた状態で保持される。
【００３１】
図６は、図３に示されるＡＡでの断面図である。収容ポケット７の厚みは、収容すべきシート状薬の厚みおよび枚数応じて変わるが、例えば、５ｍｍ程度の厚みである。また、第２の部分２０の部分２２によって決められる薬入れ１の自身の厚みも、同程度である。
【００３２】
図７および図８は、本考案の薬入れ１にサイズの異なるシート状薬３、４を収容している状態を示す。脱落防止スリット４２および脱落防止スリット４３は、それぞれほぼ弧状の形状を有し、収容ポケット７に対して異なる高さ位置にある。図７は、大きなサイズのシート状薬３、例えば、一辺が約５ｃｍの四角形のシート状薬３を収容する状態を示す。一方の脱落防止スリット４２に、大きなサイズのシート状薬３の１つの角部が挿入される。図８は、小さなサイズのシート状薬４、例えば、一辺が約４．５ｃｍの四角形のシート状薬４を収容する状態を示す。他方の脱落防止スリット４３に、小さなサイズのシート状薬４の１つの角部が挿入される。シート状薬３、４は、一部（下部）が収容ポケット７に挿入され、１つの角部が脱落防止スリット４２または４３に挿入される。脱落防止スリット４２または４３に挿入されたシート状薬３、４の角部は、第１の部材１０および第３の部材３０によって押圧されて、収容ポケット７に収容されたシート状薬３、４の脱落を防止する。なお、本実施形態における脱落防止スリット４２、４３は、収容ポケット７に収容された側とは反対側のシート状薬３、４の角部が挿入されるほぼ弧状の形状を有するが、脱落防止スリット４２、４３の形状は、シート状薬３、４の辺の少なくとも一部が挿入される形状でも良い。
【００３３】
次に、本考案の薬入れ１が有する表示部および記録部について、図９から図１１を参照して以下に説明する。
【００３４】
図９に、図３に対応する本考案の薬入れ１を開いた状態の正面図を示し、図１０に、その背面図を示す。図９および図１０に示される本考案の薬入れ１の実施形態では、第２のシート状部材６の一方側の面に、第１の表示部５１および記録部５２、反対側の面に、第５の表示部５６を有する。第１のシート状部材５は、第３の部材３０に、第２の表示部５３および第３の表示部５４、第１の部材１０に、第４の表示部５５を有する。第１の表示部５１、第２の表示部５３、第３の表示部５４、第４の表示部５５、および第５の表示部５６は、収容されるシート状薬に関する指導箋を表示するために利用され、記録部５２は、シート状薬３、４を貼り付けた使用日時などの使用状態を記録するために利用され、必要に応じてイラストとともに分かり易く示されることができる。
【００３５】
例えば、第１の表示部５１、第２の表示部５３、または第３の表示部５４に、使用における注意事項を表示することができる。その一例は、「このシート状薬は、今のあなたの症状にあわせて出されたお薬なので、家族や他の人にはあげないこと」、「傷口や湿疹のあるところ、汗をかきやすいところ、あるいはクリームや軟膏等を塗ったところには貼らないでください」、「テープをはがしてしまう可能性がある子供には、手の届かないところに貼ってください」、「テープが少しはがれた場合には、刺激の少ない絆創膏等で固定してください」、「テープは一度はがしたら、再び貼り直すことができません」、「使用するまで袋を開けず、高温を避けて保管してください」、「子供の手の届かないところに保管してください」、「何か変だと感じたら、必ず医師か薬剤師に相談してください」などである。
【００３６】
第４の表示部５５および第５の表示部５６には、使用方法および収容されるシート状薬の名称などを表示する。その一例は、「シート状薬の正しい貼り方の手順」として、「１．貼るところをよく拭く」、「２．袋を２ヶ所、切り取って取り出す」、「３．山折りにして、片方のライナーをはがす」、「４．残りのライナーを持って、もう一方のテープを貼ったあと、残りのライナーをはがす」、「５．貼ったあとは、はがれないように上から押さえる」などであり、「シート状薬を貼る場所」として、「胸、背中、上腕のいずれか１ヵ所に貼ってください」などであり、「シート状薬を貼り替える時間間隔」として、「１日１回必ず貼りかえてください」などであり、その他に「同じところに続けて貼ると、かゆくなったりかぶれたりすることがあるので、同じところを避けて貼ってください」などである。
【００３７】
記録部５２は、例えば、図１１に示されるような、シート状薬を貼り付けた使用日時を記録するために利用される。
【００３８】
次に、本考案の薬入れ１の使用方法について説明する。
【００３９】
まず、シート状薬３、４に関する指導箋を表示する表示部を有する本考案の薬入れ１に、所定枚数のシート状薬を収容ポケット７および脱落防止スリット４２、４３を用いて収容して、薬入れ１が閉じられた状態で、直接または袋に入れて患者に渡される。
【００４０】
シート状薬３、４を貼る（使用する）時期になると、患者自身または患者にシート状薬を貼り付ける家族などの人は、本考案の薬入れ１を用意して、第２のシート状部材６の挿入部２３を閉鎖スリット４４から出して、薬入れ１を開かれた状態にする。貼り付けの初回でない場合には、記録部５２に記録されている前回の使用日時を調べて、適切な貼り替え時期であることを確認する。次に、表示部５１、５３、および５４に示された使用における注意事項を見ながら、必要なシート状薬３、４を、脱落防止スリット４２または４３に挿入されているその角部を出して、収容ポケット７から取り出す。その後、表示部５５、５６に印刷された使用方法を参考に、シート状薬３、４を正しい貼り方で適切な場所に貼る。シート状薬３、４を貼り付けた日時を、記録部５２に記録するのは、貼り付けの後でも、貼り付けの前でも可能である。シート状薬３、４の貼り付けが終了した後、第１のシート状部材５の収容ポケット７および脱落防止スリット４２、４３を用いて、残ったシート状薬３、４を収容し、第２のシート状部材６を、薬入れ１が閉じたられる位置に戻して、挿入部２３を閉鎖スリット４４に挿入し、次回の使用時まで薬入れ１を保管する。
【００４１】
このような構成を有するため、本考案の薬入れ１は、薬入れ１を使用している間に、シート状薬３、４が、ばらばらになることまたは紛失されることを防止することができる。さらに、シート状薬３、４を収容する作業は、簡単で手間のかからない作業である。さらに、収容されているシート状薬３、４の枚数の確認が容易であり、また、従来の薬袋より嵩張らずに持ち帰り易いものである。
【００４２】
さらに、本考案に係る薬入れ１は、収容されるシート状薬３、４に関する指導箋を含む表示部５１、５３、５４、５５、および５６を有するため、指導箋を紛失することが防止される。さらに、シート状薬３，４の貼り方を理解し易く、使用方法を間違え難く、使用の際の注意事項を理解し易く、忘れ難い。加えて、シート状薬３、４の使用状態を記録するための記録部５２を有するため、シート状薬３、４を貼り付けた日時を記憶する必要は無く、使用状態を確認でき、適切な時期にシート状薬３、４を貼り替えることを確実に行うことができる。第１のシート状部材５の閉鎖スリット４４に第２のシート状部材６の挿入部２３を挿入して、薬入れ１の閉じられた状態を保持することで、収容されたシート状薬３、４を外部から保護し、薬入れ１から飛び出るまたは脱落する危険性がさらに低減される。
【００４３】
一方、シート状薬１を処方する医師または薬剤師は、指導箋を配布する必要が無く、輪ゴムなどでとめる必要なくシート状薬３、４を処方でき、また患者のシート状薬３、４の使用状態を記録部５２から確認することができる。
【００４４】
本考案の薬入れを製造するための型紙２により、このような薬入れ１を容易に製造することができる。
【００４５】
なお、本明細書に記載されかつ図面に示された例は、単なる例示であって、様々な変更または修正が可能である。例えば、収容ポケットおよび脱落防止スリットなどを含むシート状部材５、６の全体形状または材料、個々のスリットの形状または個数などは、様々な修正および変更が可能である。
【図面の簡単な説明】
【００４６】
【図１】開かれた位置での本考案の薬入れの斜視図を示す。
【図２】本考案の薬入れの展開図を示す
【図３】開かれた位置での本考案の薬入れの正面図を示す。
【図４】開かれた位置での本考案の薬入れの背面図を示す。
【図５】閉じられた位置での本考案の薬入れの斜視図を示す。
【図６】図３に示されるＡＡでの断面図を示す。
【図７】大きなサイズのシート状薬を収容する状態を示す。
【図８】小さなサイズのシート状薬を収容する状態を示す。
【図９】本考案の薬入れの表示部および記録部を示す。
【図１０】本考案の薬入れの表示部を示す。
【図１１】記録部の詳細を示す。
【符号の説明】
【００４７】
１  薬入れ
２  型紙
３、４  シート状薬
５  第１のシート状部材
６  第２のシート状部材
７  収容ポケット
１０  第１の部材
１１、１２、２１、３１、３２、３３、３４  折り曲げ線
２０  第２の部材
２３  挿入部
３０  第３の部材
４１  入口スリット
４２、４３  脱落防止スリット
４４  閉鎖スリット
５１、５３、５４、５５、５６  表示部
５２  記録部
【図１】
0003132357.tif 000003
【図２】
0003132357.tif 000004
【図３】
0003132357.tif 000005
【図４】
0003132357.tif 000006
【図５】
0003132357.tif 000007
【図６】
0003132357.tif 000008
【図７】
0003132357.tif 000009
【図８】
0003132357.tif 000010
【図９】
0003132357.tif 000011
【図１０】
0003132357.tif 000012
【図１１】
0003132357.tif 000013